(57)【要約】      （修正有）【課題】草刈時の操作性を改善し、雑草の生い茂る不整地でも楽に移動でき、疲れにくく、簡単で丈夫な構造を有し、製造コストも安い草刈鋏を提供する。【解決手段】一対の交差する鋏刃体１の基端と、長柄２の先端部で交差させた一対の長柄２の先端とを固定した立ち草刈鋏において、長柄２の中点と長柄２の先端との間であって、一対の長柄２の対称となる位置のそれぞれ２ヶ所に固定継手４Ａ、５Ａを配置し、一方車輪３の軸長を車輪幅より左右へ延出させ、この延出部の左右対称位置にたわみ継手６を配置して、車軸のたわみ継手６と、該たわみ継手６と同側にある長柄２の２つの固定継手４Ａ、５Ａとをフレーム４、５で結合し、鋏刃体１の後方であってその鋏刃体１の中心線の延長上に車輪３を配置した車輪付き立ち草刈鋏。【選択図】図１
2018014987.tif 000002
【特許請求の範囲】
【請求項１】
一対の交差する鋏刃体の基端と、長柄の先端部で交差させた一対の長柄の先端とを固定した立ち草刈鋏において、長柄の中点と長柄の先端との間であって、一対の長柄の対称となる位置のそれぞれ２ヶ所に固定継手を配置し、一方車輪の軸長を車輪幅より左右へ延出させ、この延出部の左右対称位置にたわみ継手を配置して、車軸のたわみ継手と、該たわみ継手と同側にある長柄の２つの固定継手とをフレームで結合し、鋏刃体の後方であってその鋏刃体の中心線の延長上に車輪を配置させたことを特徴とする車輪付き立ち草刈鋏。
【発明の詳細な説明】
【技術分野】
【０００１】  本発明は、雑草などの草刈を立った姿勢で能率良く行うことのできる車輪付き立ち草刈鋏に関するものである。
【背景技術】
【０００２】  現在普及している立ち草刈鋏は、一対の交差する鋏刃体の基端と、長柄の先端部で交差させた一対の長柄の先端とを固定した構造であり、作業を行うとき作業者は長柄の握り部を水平に動かし、鋏刃体を開閉することにより、雑草などを刈り取る。
作業時に作業者は両手だけで鋏を支持し、草刈り作業することから、腕が疲れやすく、度々作業を中断することで作業性が悪い。【０００３】  この作業性を向上する目的で、地上面を回転する車輪を取り付けた草刈鋏が提案されている。その一つは、第１、第２の交差する鋏刃体の基端部と第１、第２の交差する長柄の先端部とを連結した草刈鋏において、一対の鋏刃体の交差部の要ネジに取り付けた支持杆の末端部に車輪を取り付けた草刈鋏である（特許文献１）。
また他の例は、特許文献１と同様の草刈鋏において、第１、第２の鋏刃体の交差部の要ネジに中立板を取り付け、その中立板に出張部を設けて、この出張部に鋏刃体の左右に２つの車輪を取り付けた草刈鋏である（特許文献２）。【０００４】  鋏刃体の交差部の要ネジに取り付けた支持杆に１個の車輪を取り付けたタイプの草刈鋏は、支持杆のたわみを大きくして移動時のショックを吸収したいが、たわみが大きすぎると、鋏が地面と接触してしまい、移動の障害になる。さらに鋏の要ネジに支持杆を取り付けると、長柄と支持杆で要ネジを曲げる力が働き、これが要ネジを変形させ、第１、第２の交差する鋏刃体に隙間ができ、草が切れなくなる。
特許文献２の第１、第２の鋏刃体の交差部の要ネジに中立板を取り付け、その中立板に出張部を設けて、この出張部に鋏刃体の左右の２つの車輪を取り付けたタイプの草刈鋏は、雑草の生い茂る場所では、車輪の間に雑草が絡んで移動の障害になる。【０００５】  一対の鋏刃体の交差部の要ネジを利用して、車輪を取り付ける従来技術では、このような課題を有している。
【先行技術文献】
【０００６】
【特許文献１】特許第２９３５３６１号公報
【特許文献２】特開２００１−２３８５１３号公報
【発明の概要】
【発明が解決しようとする課題】
【０００７】  本発明は、公知の草刈鋏とは全く異なった構造の車輪付き立ち草刈鋏に関し、草刈時の操作性が改善され、雑草の生い茂る不整地でも楽に移動でき、疲れにくく、加えて比較的簡単で丈夫な構造を有し、製造コストも安い草刈鋏を提供する。
【課題を解決するための手段】
【０００８】  本発明は一対の交差する鋏刃体の基端と、長柄の先端部で交差させた一対の長柄の先端とを固定した立ち草刈鋏において、長柄の中点と長柄の先端との間であって、一対の長柄の対称となる位置のそれぞれ２ヶ所に固定継手を配置し、一方車輪の軸長を車輪幅より左右へ延出させ、この延出部の左右対称位置にたわみ継手を配置して、車軸のたわみ継手と、該たわみ継手と同側にある長柄の２つの固定継手とをフレームで結合し、鋏刃体の後方であってその鋏刃体の中心線の延長上に車輪を配置させたことを特徴とする車輪付き立ち草刈鋏に関する。【０００９】  左右一対の長柄が先端手前で交差し、先端部に草刈り鋏を設けてある立ち草刈り鋏において長柄を持っている作業者側を後方、草刈り鋏側を前方とする前提で説明する。【００１０】  本発明では、車輪は車軸のたわみ継手と、長柄の交差部付近に立ち草刈鋏の荷重を受ける、地面から垂直方向に幅の広い固定継手と、長柄の中間部付近に車輪の方向を固定する固定継手を、それぞれフレームで三角形状に連結した左右２つのフレーム構造により支持されている。
長柄の２つの固定継手の間隔は、長柄の交差部付近にある固定継手を頂角とする三角形であり、この頂角が鈍角となるように位置が定められる。車輪の取り付けは、単純で堅牢な構造であり、丈夫で長持ちがする。また泥や異物の侵入にも機能が阻害されることはない。
鋏刃体と長柄の結合は、作業者の作業性から１００度〜１４５度、好ましくは１００度〜１３０度くらいが適当とされる。【００１１】  不整地において雑草の刈取りを行う場合、地面は凹凸が多く、車輪が窪みに取られて作業がしにくい場合にしばしば遭遇する。このような場合にも作業をスムーズに進めるには、車輪の丈夫な固定と大きな径の車輪を必要とする。車輪径は容易に大きくすることができ、車輪の大きさの選択にも自由度がある。直径３０ｃｍくらいまで大きくできる。車輪は車軸に付く抜け止めピンをはずせば簡単に交換できる。草刈鋏と地面との距離は１ｃｍくらいで、それに合わせて車輪位置は決定される。
【発明の効果】
【００１２】  本発明の立ち草刈り鋏は草刈時の作業性が改善され、雑草の生い茂る不整地でも楽に移動でき、疲れにくく、加えて比較的簡単で丈夫な構造を有し、モーターなどの発動機をもたないのでコスト的に安く、構造も単純で故障しにくい。
【図面の簡単な説明】
【００１３】
【図１】本発明の車輪付立ち草刈り鋏の側面から見た概略図
【図２】本発明の車輪付立ち草刈り鋏の後面から見た概略図
【図３】車輪周りの構造の説明図
【図４】金属の薄板の固定継手、たわみ継手を用いた説明図
【図５】金属の薄板の固定継手５Ａの説明図
【図６】金属の薄板の固定継手４Ａの説明図
【図７】金属の薄板のたわみ継手を用いた車輪周辺の鋏の開閉時のたわみ継手６にかかる力の説明図
【発明を実施するための形態】
【００１４】  以下、本発明の実施の形態を図に基づいて説明する。ただし本発明はこれらに限定されるものではない。
【００１５】  本発明は図１で示すように、立ち草刈鋏は車軸８がたわみ継手６と、長柄２の交差部７付近に立ち草刈鋏の荷重を受ける幅の広い固定継手４Ａと、長柄２の中間部付近に車輪３の方向を調整する固定継手５Ａを、それぞれフレーム４、５で三角形状に連結した左右２つのフレーム構造により支持されている。図２で示すように、車輪３は後方であって、立ち草刈り鋏の中心に位置する。
【００１６】  図３で示すように、立ち草刈鋏の重心近傍に取り付けられた固定継手４Ａは、地面から垂直方向に幅の広い形状となし、立ち草刈鋏の大部分の荷重を受け、かつ移動時の繰り返し衝撃荷重にも耐えうることができる。
固定継手４Ａは一例をあげると、金属の板を用いた固定継手４Ａで説明する。
形状は長柄方向の幅１０ｃｍ、長柄から突き出す長さ５ｃｍ、板厚１ｍｍである。
【００１７】  車軸８はたわみ継手６に取り付けられており、フレーム５無しで車輪３に力がかかると車輪が作業者の意図に反した方向を向いてしまうので、図３で示すように、フレーム５を長柄２の中間部付近に取り付けられた固定継手５Ａとたわみ継手６でつなぐことにより、車輪３の方向を固定する。
固定継手５Ａは一例をあげると、金属の板を用いた固定継手５Ａで説明する。
形状は長柄方向の幅５ｃｍ、長柄から突き出す長さ７ｃｍ、板厚１ｍｍである。
【００１８】  図３で示すように、車軸８の左右のたわみ継手６は立ち草刈鋏の荷重を受け、かつ移動時の繰り返し衝撃荷重もかかるので、構造的に強くなければならず、かつ鋏の開閉の際、フレーム４、５の曲げの力がかかるので、柔軟に曲がる必要がある。フレーム４、５と接続できるよう接続部の横幅の広い、鋏の開閉時のフレーム４、５と車軸８の曲げの力にも対応した長さの形状となる。
たわみ継手６は一例をあげると、金属の板を用いたたわみ継手６で説明する。
形状はフレーム４、５との接続部の横幅１０ｃｍ、長さ７ｃｍ、板厚０．５ｍｍである。車輪３は車軸８を通し、スペーサー１１とたわみ継手６に両側から挟まれ、抜け止めピン１２により固定される。
【００１９】  図１で示すように、鋏刃体１は２本の長柄２が長柄の先端部で軸１３で交差させ、自由に開閉できる。長柄２はアルミパイプで作られ、その長柄２の先端部に鋏刃体１と自在継手１０で繋がっている。
草を刈る際、車軸８に付いたたわみ継手６が柔軟に動くため、鋏の開閉がスムーズに行える。またたわみ継手６がある程度の剛性を持つので、重量を支えきれず、座屈して車輪８が傾くことが無い。これにより不整地でも容易に移動でき、立った姿勢で楽に効率よく草を刈ることができる。
【符号の説明】
【００２０】１    鋏刃体
２    長柄
３    車輪
４    フレーム
４Ａ  固定継手
５    フレーム
５Ａ  固定継手
６    たわみ継手
７    交差部
８    車軸
９    ボルト
１０  自在継手
１１  スペーサー
１２  抜け止めピン
１３  軸
【図１】
2018014987.tif 000003
【図２】
2018014987.tif 000004
【図３】
2018014987.tif 000005
【図４】
2018014987.tif 000006
【図６】
2018014987.tif 000007
【図７】
2018014987.tif 000008
【図８】
2018014987.tif 000009
【手続補正書】
【提出日】平成28年11月15日(2016.11.15)
【手続補正１】
【補正対象書類名】明細書
【補正対象項目名】００１３
【補正方法】変更
【補正の内容】
【００１３】
【図１】本発明の車輪付立ち草刈り鋏の側面から見た概略図
【図２】本発明の車輪付立ち草刈り鋏の後面から見た概略図
【図３】車輪周りの構造の説明図
【図４】金属の薄板の固定継手、たわみ継手を用いた説明図
【図５】金属の薄板の固定継手５Ａの説明図
【図６】金属の薄板の固定継手４Ａの説明図
【図７】金属の薄板のたわみ継手の説明図
【手続補正２】
【補正対象書類名】図面
【補正対象項目名】全図
【補正方法】変更
【補正の内容】
【図１】
2018014987.tif 000010
【図２】
2018014987.tif 000011
【図３】
2018014987.tif 000012
【図４】
2018014987.tif 000013
【図５】
2018014987.tif 000014
【図６】
2018014987.tif 000015
【図７】
2018014987.tif 000016